(57)【要約】【課題】広告主や利用者の要望に応じて出版物に広告を掲載するか否かを決定し、広告の掲載を許諾する利用者には、より低価格で出版物を提供する。【解決手段】電子出版システム１の利用者により、携帯電話機１０が操作され、受領希望記事情報及び広告の掲載を許諾するか否か（広告受領許否情報）が登録される。次に、利用者の登録内容に基づいて、管理装置２０により、提供記事情報と、掲載しない広告の領域を示す無地領域情報を含む発行命令業務情報が生成される。そして、画像形成装置３０により、発行命令業務情報に基づいて広告を掲載しない領域は無地印刷として出版物印刷・製本処理が実行される。利用者が広告の掲載を許諾する場合には、料金が割り引きされる。【選択図】  図１
2004272335.tif 000002
【特許請求の範囲】
【請求項１】
出版物の掲載記事の電子情報、当該出版物の記事掲載面に存在する広告部分の配置領域を示す広告領域情報及び広告主による前記広告部分の掲載の許否を示す広告掲載許否情報を記憶して前記出版物の管理業務及び発行命令業務を行う管理装置と、
通信ネットワークを介して前記管理装置に接続可能で、利用者による前記出版物の受領希望記事情報及び受領希望記事の掲載面に存在する広告部分の掲載の許否を示す広告受領許否情報を前記管理装置に送信する携帯情報端末装置と、
通信ネットワークを介して前記管理装置に接続可能で、前記管理装置からの発行命令業務情報を受信し、受信した発行命令業務情報に基づいて印刷及び製本を行う画像形成装置と、
を備えた電子出版システムであって、
前記管理装置は、さらに、前記広告主による広告掲載許否情報及び／又は前記利用者による広告受領許否情報に基づいて、前記広告部分の印刷を行うか否かを判断する広告印刷判断部を備えたことを特徴とする電子出版システム。
【請求項２】
請求項１記載の電子出版システムにおいて、
前記管理装置は、さらに、前記広告印刷判断部による判断の結果、広告部分の印刷を行わない場合、前記広告領域情報に基づいて当該広告部分の領域を無地印刷する発行命令業務情報を前記画像形成装置に送信することを特徴とする電子出版システム。
【請求項３】
請求項１又は２記載の電子出版システムにおいて、
前記管理装置は、前記利用者による広告受領許否情報に基づいて、前記受領希望記事の印刷及び製本を行うサービスの料金を計算する料金計算部を備えたことを特徴とする電子出版システム。
【発明の詳細な説明】
【０００１】
【発明の属する技術分野】
本発明は、電子出版システムに関する。
【０００２】
【従来の技術】
近年、ＰＯＤ（Ｐｒｉｎｔ  Ｏｎ  Ｄｅｍａｎｄ）、ＢＯＤ（Ｂｏｏｋ  Ｏｎ  Ｄｅｍａｎｄ）と呼ばれるサービスが普及してきている。このＰＯＤ・ＢＯＤサービスとは、例えば、雑誌の掲載記事や小説等の電子化された出版物データをデータベース等で管理し、利用者の要望に応じて必要部数だけ印刷・製本し、提供する出版サービスである。
【０００３】
すなわち、利用者の要望に応じ、その都度印刷・製本して提供する方法であるため、利用者に確実に提供することができる、在庫を持つ必要が無く、出版物の在庫や返品等によって生じるコストを削減することができる、といった利点があり、例えば少数部の出版物の提供に適したサービスとなっている。
【０００４】
出版物以外においても、インターネット等のネットワークを介して有料情報を提供するサービスの普及に伴い、有料情報提供者から提供される有料の原画像情報に、広告画像情報を合成して、画像情報の提供を受けるユーザに対して請求される情報提供料金の一部を広告主に負担させる広告受容の対価支払システムが提案されている（例えば、特許文献１参照。）。このシステムにより、ユーザは、より低価格で情報の提供を受けることができる。
【０００５】
また、コピーサービスにおいて、原画像に広告画像を合成したコピー画像を提供し、ユーザが支払うべきコピー料金の一部を広告主に負担させる広告受容の対価支払システムも提案されている（例えば、特許文献１参照。）。
【０００６】
さらに、原画像に広告画像を合成したコピー画像中の広告画像のサイズに応じて複写料金の割引率を変更するプリンタシステムも提案されている（例えば、特許文献２参照。）。
【０００７】
【特許文献１】
特開２００１−３１２６６０号公報
【特許文献２】
特開２００２−２８１２８２号公報
【０００８】
【発明が解決しようとする課題】
しかし、上記の特許文献１の広告受容の対価支払システムや、特許文献２のプリンタシステムは、いずれも広告画像情報のみを提供する広告サーバを備え、広告サーバから広告画像情報をダウンロードして、原画像情報と合成することを前提としていた。
【０００９】
ところが、ＰＯＤ・ＢＯＤサービスにおける発行済雑誌の記事等では、雑誌の持つ広告性から本文記事とともに広告が既にレイアウトされている。このため、雑誌等の出版物の電子情報には広告も含まれており、必ずしも利用者が望む内容のみとは限らない。
【００１０】
本発明の課題は、広告主や利用者の要望に応じて出版物に広告を掲載するか否かを決定し、広告の掲載を許諾する利用者には、より低価格で出版物を提供することができる電子出版システムを提供することである。
【００１１】
【課題を解決するための手段】
上記の課題を解決するための請求項１記載の発明は、
出版物の掲載記事の電子情報、当該出版物の記事掲載面に存在する広告部分の配置領域を示す広告領域情報及び広告主による前記広告部分の掲載の許否を示す広告掲載許否情報を記憶して前記出版物の管理業務及び発行命令業務を行う管理装置と、
通信ネットワークを介して前記管理装置に接続可能で、利用者による前記出版物の受領希望記事情報及び受領希望記事の掲載面に存在する広告部分の掲載の許否を示す広告受領許否情報を前記管理装置に送信する携帯情報端末装置と、
通信ネットワークを介して前記管理装置に接続可能で、前記管理装置からの発行命令業務情報を受信し、受信した発行命令業務情報に基づいて印刷及び製本を行う画像形成装置と、
を備えた電子出版システムであって、
前記管理装置は、さらに、前記広告主による広告掲載許否情報及び／又は前記利用者による広告受領許否情報に基づいて、前記広告部分の印刷を行うか否かを判断する広告印刷判断部を備えたことを特徴とする電子出版システムである。
【００１２】
請求項１記載の発明によれば、広告主による広告掲載許否情報及び／又は利用者による広告受領許否情報に基づいて、広告部分の印刷を行うか否かを判断するので、広告主や利用者の要望に応じて出版物に広告を掲載するか否かを決定することが可能な電子出版システムを構築することができる。
【００１３】
請求項２記載の発明は、
請求項１記載の電子出版システムにおいて、
前記管理装置は、さらに、前記広告印刷判断部による判断の結果、広告部分の印刷を行わない場合、前記広告領域情報に基づいて当該広告部分の領域を無地印刷する発行命令業務情報を前記画像形成装置に送信することを特徴とする電子出版システムである。
【００１４】
請求項２記載の発明によれば、広告部分の印刷を行わない場合には、広告部分の領域を無地印刷して、広告が掲載されていない出版物の提供が可能な電子出版システムを構築することができる。
【００１５】
請求項３記載の発明は、
請求項１又は２記載の電子出版システムにおいて、
前記管理装置は、前記利用者による広告受領許否情報に基づいて、前記受領希望記事の印刷及び製本を行うサービスの料金を計算する料金計算部を備えたことを特徴とする電子出版システムである。
【００１６】
請求項３記載の発明によれば、利用者が広告の掲載を許諾する場合には、提供するサービスの料金の割り引きを可能とする電子出版システムを提供することができる。したがって、より低価格で利用者に出版物を提供することができる。
【００１７】
【発明の実施の形態】
以下、図面を参照し、本発明の実施の形態を詳細に説明する。なお、以下においては、本発明を、利用者の要望に応じて出版物を提供する出版サービスに適用した例について説明する。
【００１８】
図１に、本実施の形態における電子出版システム１のシステム体系を示す。出版サービスは、この電子出版システム１によって具現化される。
なお、ここで「電子出版システム」とは、定期刊行される複数の雑誌それぞれに掲載されている記事のうちから、利用者が希望する記事のみを選択し、これらをまとめてひとつの出版物として利用者に提供するシステムであるとして、以下、説明する。
【００１９】
図１に示すように、電子出版システム１は、利用者が所有する携帯電話機１０、サービスセンタに設置された管理装置２０、コンビニエンス・ストアや書店、デパート等の店舗に設置された複数の画像形成装置３０，３０，・・・、を備えている。携帯電話機１０、管理装置２０、画像形成装置３０，３０，・・・は通信ネットワークとしてのインターネットＮを介して接続されている。
【００２０】
本実施の形態では、携帯情報端末装置として、携帯電話機１０を使用した例を示すが、携帯情報端末、ＰＨＳ（Ｐｅｒｓｏｎａｌ  Ｈａｎｄｙｐｈｏｎｅ  Ｓｙｓｔｅｍ）又はパーソナルコンピュータ（Ｐｅｒｓｏｎａｌ  Ｃｏｍｐｕｔｅｒ）等であってもよい。
【００２１】
また、本実施の形態は、通信ネットワークとして、インターネットＮを介して携帯電話機１０、管理装置２０、画像形成装置３０，３０，・・・、が接続されている例であるが、通信ネットワークは、ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）を含めてもよく、電話回線網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線網、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線網、移動体通信網、通信衛星回線、ＣＡＴＶ回線、光通信回線、無線通信回線等を含む構成でもよい。
【００２２】
（携帯電話機１０）
まず、携帯電話機１０について説明する。
携帯電話機１０は、利用者が所有する携帯情報端末装置であり、無線通話機能及び無線データ通信機能を有する公知の無線電話機により実現される。また、携帯電話機１０は、契約している電話会社４０が有する無線基地局４１及びインターネットＮを介して、管理装置２０とのデータ通信を実行する。携帯電話機１０は、管理装置２０が提供するＷｅｂサイト等へのアクセス機能（例えば、Ｗｅｂブラウザ）を備えている。
【００２３】
図２は、携帯電話機１０の機能構成を示すブロック図である。
図２に示すように、携帯電話機１０は、制御部１１０、入力部１２０、表示部１３０、記憶部１４０、通信部１５０、の機能部を備えて構成される。
【００２４】
制御部１１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えて実現され、携帯電話機１０を構成する各部を集中制御する。
【００２５】
具体的には、ＣＰＵは、入力部１２０や通信部１５０から入力される信号に応答して、ＲＯＭ、あるいは記憶部１４０に記憶された各種制御プログラムを読み出してＲＡＭに展開し、展開された各制御プログラムとの協働によって各種処理を実行し、携帯電話機１０の各部を機能させる。このとき、ＣＰＵは、この各種処理結果をＲＡＭ、あるいは記憶部１４０内に格納するとともに、必要に応じて、表示部１３０に表示させる。
【００２６】
ＲＯＭは、読み出し専用の半導体メモリであり、ＣＰＵが実行する基本プログラムやデータ等が記憶される。
【００２７】
また、ＲＡＭは、データが一時的に保存される記憶媒体であり、ＣＰＵが実行するプログラムを展開するためのプログラムエリア、入力部１２０や通信部１５０から入力されるデータやＣＰＵによる各種処理結果等を保存するためのデータエリア等が形成される。
【００２８】
入力部１２０は、数字キーや各種機能キーを備え、各キー操作による押下信号を制御部１１０に出力する。携帯電話機１０の通話時以外にも、例えば、Ｗｅｂサイトへアクセスする際に、入力部１２０により情報の入力、指定が行われる。
【００２９】
表示部１３０は、ＬＣＤ（Ｌｉｑｕｉｄ  Ｃｒｙｓｔａｌ  Ｄｉｓｐｌａｙ）パネル等により構成され、制御部１１０から入力される表示データに基づいて画面表示を行う。例えば、表示部１３０には、Ｗｅｂサイトから受信した情報が表示される。
【００３０】
記憶部１４０は、制御部１１０により実行される携帯電話機１０用の各種アプリケーションプログラムや通信処理プログラム及びその処理プログラムで処理されたデータ等を記憶する。
【００３１】
通信部１５０は、契約している電話会社４０が有する無線基地局４１を介して、送受話音声の送受信を実行する。また、通信部１５０は、無線基地局４１及びインターネットＮを介して、管理装置２０とデータ通信を行う。
【００３２】
（管理装置２０）
次に、管理装置２０について説明する。
管理装置２０は、本実施の形態の電子出版システム１を提供するサービスセンタが運営するものであり、公知のサーバ装置によって実現される。また、管理装置２０は、出版社Ａ、Ｂ、Ｃそれぞれに設置される出版社サーバと接続され、サービスセンタが各出版社Ａ、Ｂ、Ｃとの使用許諾契約を結ぶことで使用許諾された、各出版社Ａ、Ｂ、Ｃが版権を有する、各社の発行雑誌の掲載記事の電子情報を予め各出版社から取得し、蓄積している。
【００３３】
そして、管理装置２０は、これらの蓄積している記事の中から、利用者毎に希望する記事を抽出して、印刷及び製本を行うために画像形成装置３０へ送信する。
【００３４】
図３は、管理装置２０の機能構成を示すブロック図である。
図３に示すように、管理装置２０は、制御部２１０、記憶部２２０、通信部２３０、広告印刷判断部２４０、料金計算部２５０、の機能部を備えて構成される。
【００３５】
制御部２１０は、ＣＰＵ、ＲＯＭ、ＲＡＭ等を備えて実現され、管理装置２０を構成する各部を集中制御する。
【００３６】
具体的には、ＣＰＵは、通信部２３０から入力される信号に応答して、ＲＯＭ、あるいは記憶部２２０に記憶された各種制御プログラムを読み出してＲＡＭに展開し、展開された各制御プログラムとの協働によって各種処理を実行し、管理装置２０の各部を機能させる。このとき、ＣＰＵは、この各種処理結果をＲＡＭ、あるいは記憶部２２０内に格納するとともに、必要に応じて、通信部２３０からインターネットＮを介して携帯電話機１０や画像形成装置３０へ送信させる。
【００３７】
ＲＯＭは、読み出し専用の半導体メモリであり、ＣＰＵが実行する基本プログラムやデータ等が記憶される。
【００３８】
また、ＲＡＭは、データが一時的に保存される記憶媒体であり、ＣＰＵが実行するプログラムを展開するためのプログラムエリア、通信部２３０から入力されるデータやＣＰＵによる各種処理結果等を保存するためのデータエリア、通信部２３０から入力される画像データを保存するための画像データエリア等が形成される。
【００３９】
記憶部２２０は、例えばＨＤＤ（Ｈａｒｄ  Ｄｉｓｋ  Ｄｒｉｖｅ）を備えて構成され、制御部２１０の指示に従って、このＨＤＤ内にプログラムやデータ等を記録する。例えば、制御部２１０からプログラムやデータの記録指示がなされると、ＨＤＤ内の空き容量を判定し、空き領域内に指示された情報を記録する。また、制御部２１０からプログラムやデータの読み出し指示がなされると、その指示された情報をＨＤＤから読み出して制御部２１０へ出力する。
【００４０】
また、記憶部２２０には、制御部２１０が本実施の形態に係る各種処理を実行するための処理プログラムや処理データ等が記憶される。この処理プログラムには、後述する電子出版予約処理及び発行命令業務情報生成処理を実行するためのプログラムが含まれるとともに、上記処理データには、記事ＤＢ（データベース）２２１、予約テーブル２２２、配信記事テーブル２２３、画像形成装置テーブル２２４が含まれる。
【００４１】
記事ＤＢ２２１とは、サービスセンタが出版社Ａ、Ｂ、Ｃと使用許諾契約を結ぶことで使用可能となった、各出版社Ａ、Ｂ、Ｃが版権を有する、各社の発行雑誌に掲載された記事の電子情報を多数格納したデータベースである。記事ＤＢ２２１中の記事は、例えば、出版社や掲載雑誌、著者等の分類に従って分類／格納されているとともに、随時最新のデータが蓄積されている。また、これらの記事には、文字や記号等のテキストデータ、写真データ（カラー若しくはモノクロ）等が含まれる。
【００４２】
また、記事ＤＢ２２１には、各記事の掲載面に存在する広告毎に、対応する広告部分の配置領域を示す広告領域情報、すなわち、広告部分の位置や大きさを示す情報が格納されている。
【００４３】
さらに、記事ＤＢ２２１には、広告主が発行雑誌に掲載された広告を本電子出版システム１においても掲載を許諾するか否かの情報（以下、「広告掲載許否情報」という。）が格納されている。広告主が、本電子出版システム１において広告の掲載を許諾する場合には、広告の二次利用に対して、利用者が支払うべき出版サービスの費用を一部負担する旨の契約が広告主と出版社との間で結ばれている。
【００４４】
広告領域情報及び広告掲載許否情報は、各記事の電子情報に対応する別のファイルとして記憶されていてもよいし、各記事の電子情報のファイルのヘッダ等に記録されていることとしてもよい。
【００４５】
予約テーブル２２２とは、当該電子出版システム１を利用する利用者が希望する出版物に関する情報を管理するためのテーブルであり、図４にそのデータ構成の一例を示す。
【００４６】
図４に示すように、予約テーブル２２２には、電子出版システム１を利用する利用者の名前（利用者名）毎に、利用者が受領を希望する記事（受領希望記事情報）、利用者が受領希望記事の掲載面に存在する広告部分の掲載を許諾するか否かの情報（以下、「広告受領許否情報」という。）、出版物の受領を希望する日時（受領予約日時）及び出版物の受領を希望する画像形成装置３０の設置店舗名（受領店舗名）が対応付けられて格納されている。予約テーブル２２２の内容は、管理装置２０が提供するＷｅｂサイト等へ利用者が携帯電話機１０によりアクセスし、携帯電話機１０を操作することにより登録される。
【００４７】
受領希望記事情報とは、利用者が希望する記事に関する条件、すなわち記事ＤＢ２２１から該当する記事を抽出するための抽出条件をいう。図５に受領希望記事情報の詳細なデータ構成を示す。図５は、図４における利用者「甲」氏に対応する受領希望記事情報のデータ構成を示している。
【００４８】
図５に示すように、受領希望記事情報は、受領を希望する記事のタイトル（記事名）毎に、その記事が掲載されている雑誌名、その雑誌の発行日及び出版社名、のデータを対応付けて構成される。なお、受領を希望する記事は、いくつであっても構わない。
【００４９】
図５において、利用者「甲」氏は、▲１▼１１月１日に出版社Ａから発売された月刊「手料理：１１月号」に掲載されている「鍋メニュー特集」、▲２▼１０月２０日に出版社Ｂから発売された週刊「Ｒの旅日記：１０／２０号」に掲載されている「アジアの料理」、そして、▲３▼１０月２５日に出版社Ｃから発売された月刊「ふるさとへの旅：１１月号」に掲載されている「おすすめの旅」、の３つの記事を受領したい、と登録されている。
【００５０】
配信記事テーブル２２３とは、利用者に対する提供記事に関する情報を管理するためのテーブルであり、図６にそのデータ構成の一例を示す。
図６に示すように、配信記事テーブル２２３には、登録された利用者名毎に、発行命令業務情報及び電子キーのデータが対応付けられて格納される。
【００５１】
発行命令業務情報とは、提供記事情報と、無地領域情報と、を含み、利用者が希望する画像形成装置３０に、記事の印刷及び製本を指示するための情報である。
【００５２】
提供記事情報とは、受領希望記事情報に基づいて記事ＤＢ２２１中から抽出された記事の電子情報であって、受領希望記事に関する文字や絵等の画像データを含み、出版物を印刷する際に必要となる情報である。例えば、上述した利用者「甲」氏についていえば、提供記事情報は、図５の▲１▼〜▲３▼の３つの記事の電子情報をひとつにまとめたデータである。
【００５３】
無地領域情報とは、出版物を印刷する際に無地印刷とする領域の情報をいい、各記事の掲載面に存在する広告のうち、印刷を行わない広告の広告領域情報をまとめたデータである。
【００５４】
電子キーとは、利用者が出版物を受領する際に、正規の利用者であることの認証に用いられる認証情報である。
【００５５】
画像形成装置テーブル２２４とは、電子出版システム１による出版物の提供が可能な画像形成装置３０、すなわち、管理装置２０から発行命令業務情報を受信し、当該発行命令業務情報に基づく印刷及び製本を実行可能な画像形成装置３０に関する情報を管理するためのテーブルであり、図７にそのデータ構成の一例を示す。
【００５６】
図７に示すように、画像形成装置テーブル２２４は、管理対象となる画像形成装置３０の識別番号毎に、その店舗名（設置場所）を対応付けて記憶している。
【００５７】
また、図３において、通信部２３０は、インターネットＮと接続し、インターネットＮを介して他の機器（主に、携帯電話機１０、画像形成装置３０及び出版社Ａ、Ｂ、Ｃに設置される出版社サーバ）とデータ通信を行うためのインターフェースであり、例えばルータにより構成される。
【００５８】
広告印刷判断部２４０は、受領希望記事の掲載面に存在する広告毎に、広告部分の印刷を行うか否かを判断して、無地領域情報を生成する。広告部分の印刷を行うか否かは、広告主による広告掲載許否情報と、利用者による広告受領許否情報に基づいて判断される。広告主が広告の掲載を許諾し、かつ、利用者が広告の掲載を許諾する場合には、広告の印刷を行うこととする。広告主が広告の掲載を許諾し、かつ、利用者が広告の掲載を許諾しない場合、又は、広告主が広告の掲載を許諾しない場合には、広告の印刷を行わないこととする。この広告印刷判断部２４０は、記憶部２２０に格納された広告印刷判断プログラム２２５と制御部２１０のＣＰＵとの協働によってソフトウェア処理で実現される。
【００５９】
料金計算部２５０は、受領希望記事の情報量と、利用者による広告受領許否情報に基づいて、電子出版システム１による印刷及び製本を行うサービスの料金を計算する。利用者が広告の掲載を許諾する場合には、料金を割り引きすることとする。この料金計算部２５０は、記憶部２２０に格納された料金計算プログラム２２６と制御部２１０のＣＰＵとの協働によってソフトウェア処理で実現される。
【００６０】
（画像形成装置３０）
次に、画像形成装置３０について説明する。
画像形成装置３０は、発行命令業務情報及び電子キーを管理装置２０から受信する。そして、受信した発行命令業務情報に基づいて印刷及び製本を行い、利用者に出版物を提供する。
【００６１】
図８は、画像形成装置３０の一例を示す外観図である。
図８に示すように、画像形成装置３０は、操作部３２０、表示部３３０、スキャナカバー３４１、インクジェット印刷部３５１、電子写真印刷部３５２、給紙トレイ３５３、製本部３６０、保管部３７０、を備える。図８は、スキャナカバー３４１が閉じられた状態であり、スキャナカバー３４１が覆っている本体上面が原稿台（図示せず）となっている。
【００６２】
また、図９は、画像形成装置３０の機能構成を示すブロック図である。
図９に示すように、画像形成装置３０は、制御部３１０、操作部３２０、表示部３３０、画像読取部３４０、インクジェット印刷部３５１、電子写真印刷部３５２、製本部３６０、保管部３７０、記憶部３８０、通信部３９０、を備えて構成される。
【００６３】
制御部３１０は、ＣＰＵ、ＲＯＭ、ＲＡＭ等を備えて実現され、画像形成装置３０を構成する各部を集中制御する。
【００６４】
具体的には、ＣＰＵは、通信部３９０や操作部３２０から入力される信号に応答して、ＲＯＭ、あるいは記憶部３８０に記憶された各種制御プログラムを読み出してＲＡＭに展開し、展開された各制御プログラムとの協働によって各種処理を実行し、画像形成装置３０の各部を機能させる。このとき、ＣＰＵは、処理結果をＲＡＭ内に格納するとともに、必要に応じて表示部３３０に表示させる。
【００６５】
ＲＯＭは、読み出し専用の半導体メモリであり、ＣＰＵが実行する基本プログラムやデータ等が記憶される。なお、このＲＯＭは、フラッシュメモリ等の消去／書込可能な記憶媒体であっても良く、通信部３９０を介して外部から入力されるプログラムやデータを取り込んで記憶できる構成とし、取り込んだプログラムやデータに従ってＣＰＵが各種処理を実行するようにしてもよい。
【００６６】
ＲＡＭは、データが一時的に保存される記憶媒体であり、ＣＰＵが実行するプログラムを展開するためのプログラムエリア、通信部３９０や操作部３２０から入力されるデータやＣＰＵによる各種処理結果等を保存するためのデータエリア、画像読取部３４０や通信部３９０から入力される画像データを保存するための画像データエリア等が形成される。
【００６７】
また、制御部３１０には、印刷制御部３１１及びプリンタコントローラ３１２の機能が含まれる。このプリンタコントローラ３１２によって、通信部３９０を通じて管理装置２０から受信した発行命令業務情報に含まれる提供記事情報、又は画像読取部３４０により読み取られた画像データに、フルカラー写真データが含まれるか否かが判別される。
【００６８】
印刷制御部３１１は、プリンタコントローラ３１２によるフルカラー写真データが含まれるか否かの判別結果に応じて、インクジェット印刷部３５１、電子写真印刷部３５２を制御し、印刷処理を実行させる。フルカラー写真データが含まれると判断された場合には、フルカラー写真を含むページはインクジェット方式で印刷され、それ以外のページは電子写真方式で印刷されるよう、印刷方式が決定される。また、フルカラー写真データが含まれないと判断された場合には、全ての内容が電子写真方式で印刷されるよう、印刷方式が設定される。
【００６９】
また、印刷制御部３１１は、発行命令業務情報に基づいて提供記事情報を印刷させる際に、無地領域情報に基づいて、掲載しない広告の領域を無地印刷させる。
【００７０】
また、印刷制御部３１１は、給紙トレイ３５３から印刷用紙を搬送するための搬送機構を有しており、印刷処理を実行させる印刷部に、指定された種類及びサイズの印刷用紙を搬送し、印刷用紙を供給する。
【００７１】
操作部３２０は、数字キーや各種機能キー（スタートキー等）を備える。そして、これらのキーが押下された場合には、その押下信号を制御部３１０へ出力する。なお、この操作部３２０は、表示部３３０と一体となったタッチパネルにより構成されることとしてもよい。
【００７２】
表示部３３０は、ＬＣＤ（Ｌｉｑｕｉｄ  Ｃｒｙｓｔａｌ  Ｄｉｓｐｌａｙ）やＴＦＴ（Ｔｈｉｎ  Ｆｉｌｍ  Ｔｒａｎｓｉｓｔｏｒ）等で構成され、制御部３１０からの表示信号に従って、画面表示を行う。
【００７３】
画像読取部３４０は、制御部３１０からの読取信号に従って、原稿台に載置された所定の原稿を読み取るためのものであり、図８のスキャナカバー３４１や原稿台を含み、原稿台（コンタクトガラス）の下部にスキャナを備えて構成される。スキャナは、光源、レンズ、ＣＣＤ（Ｃｈａｒｇｅ  Ｃｏｕｐｌｅｄ  Ｄｅｖｉｃｅ）等により構成され、光源から原稿へ照明走査した光の反射光を結像して光電変換することにより、原稿の画像を読み取る。画像読取部３４０により読み取られた画像データは、制御部３１０内のＲＡＭに一時的に記憶される。
【００７４】
インクジェット印刷部３５１は、インクジェット方式で画像を形成する印刷部である。具体的には、シアン系インク、マゼンタ系インク、イエロー系インク、ブラック系インクのインクカートリッジを有し、印刷制御部３１１から供給された印刷用紙にこれらのインク液滴を射出して、画像データに応じたドット印刷を行う。なお、インク液滴の射出方法としては、バブルジェット（登録商標）方式、サーマルインクジェット方式、ピエゾ方式等、何れの方法であってもよい。
【００７５】
電子写真印刷部３５２は、電子写真方式で画像を形成する印刷部である。具体的には、露光部、現像部、定着部等を有し、この露光部がレーザビームやＬＥＤ（Ｌｉｇｈｔ  Ｅｍｉｔｔｉｎｇ  Ｄｉｏｄｅ）により感光ドラムを感光させて画像データに応じた静電潜像を形成し、現像部が感光ドラムにトナーを吸着させる。そして、感光ドラムに吸着させたトナーを印刷用紙に転写し、定着部が印刷用紙にトナーを熱定着させる。
【００７６】
また、インクジェット印刷部３５１、あるいは電子写真印刷部３５２によって画像データに基づく印刷がなされた印刷用紙は、制御部３１０が有する搬送機構により、順次製本部３６０へ搬送される。
【００７７】
製本部３６０は、制御部３１０の指示に従って、搬送された印刷物に、発行命令業務情報に基づいた製本処理を施す。この製本処理としては、例えば、所定の位置にステープル止めするステープル処理、綴じ穴をあけるパンチ処理、所定のサイズに断裁するトリマー処理、印刷物を折り畳む中折処理、冊子を作成する冊子作成処理等がある。
【００７８】
保管部３７０は、制御部３１０の指示に従って、製本後の出版物を、利用者に受領されるまで保管する。利用者が出版物を受領する際に、操作部３２０に電子キーが入力されると、保管部３７０が開かれる。
【００７９】
記憶部３８０は、例えばＨＤＤを備えて構成され、制御部３１０の指示に従って、このＨＤＤ内にプログラムやデータ等を記録する。例えば、制御部３１０からプログラムやデータの記録指示がなされると、ＨＤＤ内の空き容量を判定し、空き領域内に指示された情報を記録する。また、制御部３１０からプログラムやデータの読み出し指示がなされると、その指示された情報をＨＤＤから読み出して制御部３１０へ出力する。
【００８０】
また、記憶部３８０には、本実施の形態に係る各種処理を実行するための処理プログラムや処理データ等が記憶される。この処理プログラムには、後述する出版物印刷・製本処理を実行するためのプログラムが含まれるとともに、処理データには、カバーシートの印字データ、出版物の複製を制限し、著作権・版権の保護を図るための電子透かしデータ等が含まれる。
【００８１】
通信部３９０は、インターネットＮを介して管理装置２０から送信される発行命令業務情報及び電子キーを受信する。
【００８２】
（インターネットＮ）
インターネットＮは、携帯電話機１０、管理装置２０、画像形成装置３０，３０，・・・、を接続する通信ネットワークである。携帯電話機１０、管理装置２０、画像形成装置３０，３０，・・・、はインターネットＮを介してデータ通信を行う。
【００８３】
次に、本実施の形態における動作を説明する。
まず、一連の処理の概要を説明する。図１０に示すように、本実施の形態における電子出版システム１を利用する利用者により、携帯電話機１０が操作され、電子出版予約処理が行われる（図１１参照）。そして、利用者の登録内容に基づいて、管理装置２０により、発行命令業務情報生成処理が実行される（図１２参照）。そして、管理装置２０から受信した発行命令業務情報に基づいて、画像形成装置３０により、出版物印刷・製本処理が実行される（図１３参照）。
以下、各処理について詳細に説明する。
【００８４】
（電子出版予約処理）
図１１は、電子出版予約処理を示すフローチャートである。
電子出版予約処理は、利用者が希望する出版物に関する情報を管理装置２０の予約テーブル２２２に登録する際に実行される処理である。ここに、利用者が希望する出版物に関する情報とは、利用者名、受領希望記事情報、広告受領許否情報、受領予約日時、受領店舗名等を含む。なお、本処理では、利用者は、ブラウザ機能を有する携帯電話機１０から管理装置２０が提供するＷｅｂサイトへアクセスし、携帯電話機１０の表示部１３０に表示される表示画面を見ながら、入力部１２０から登録用ページのフォーマットに所定事項を操作入力することとする。
【００８５】
図１１に示すように、携帯電話機１０は、インターネットＮを介して管理装置２０に接続され（ステップＳ１）、管理装置２０により利用者名、受領希望記事情報及び広告受領許否情報が要求される（ステップＳ２）。携帯電話機１０の入力部１２０から利用者名、受領希望記事情報及び広告受領許否情報が入力され、管理装置２０へ送信される（ステップＳ３）。利用者名、受領希望記事情報及び広告受領許否情報は、管理装置２０により受信され（ステップＳ４）、管理装置２０の記憶部２２０の予約テーブル２２２に格納される。
【００８６】
次に、管理装置２０により受領予約日時及び受領店舗名が要求される（ステップＳ５）。携帯電話機１０の入力部１２０から受領予約日時及び受領店舗名が入力され、管理装置２０へ送信される（ステップＳ６）。受領予約日時及び受領店舗名は、管理装置２０により受信され（ステップＳ７）、管理装置２０の記憶部２２０の予約テーブル２２２に格納される。
【００８７】
ここで、管理装置２０の制御部２１０により、利用者の希望する日時までに、利用者の希望する店舗にて、出版物の印刷及び製本が可能であるかが判断される（ステップＳ８）。
【００８８】
利用者の希望する日時までに、利用者の希望する店舗にて出版物の印刷及び製本が不可能であると判断された場合には（ステップＳ８；ＮＯ）、出版物の印刷及び製本が不可能である旨が通知され、受領予約日時及び受領店舗名が再び要求される（ステップＳ５）。
【００８９】
利用者の希望する日時までに、利用者の希望する店舗にて出版物の印刷及び製本が可能であると判断された場合には（ステップＳ８；ＹＥＳ）、電子キーが生成され（ステップＳ９）、配信記事テーブル２２３に格納される。
【００９０】
管理装置２０により携帯電話機１０へ電子キーを含む受注通知が送信され（ステップＳ１０）、携帯電話機１０により受注通知が受信される（ステップＳ１１）。例えば、利用者の受領予約日時が１１月５日であった場合、受注通知には、「ご注文ありがとうございました。１１月５日までに店舗○○にて印刷・製本を行います。電子キーは××です。」等のメッセージが含まれる。
以上により、電子出版予約処理が終了する。
【００９１】
（発行命令業務情報生成処理）
図１２は、管理装置２０が実行する発行命令業務情報生成処理を示すフローチャートである。ただし、発行命令業務情報生成処理が実行されるのは、受領を希望する記事が掲載されている全ての雑誌の発行日以後であるとする。
【００９２】
図１２に示すように、予約テーブル２２２が参照され、受領希望記事情報に該当する記事の電子情報が、記事ＤＢ２２１から抽出される（ステップＳ２１）。そして、抽出されたこれらの記事がまとめられてひとつの提供記事情報が生成される（ステップＳ２２）。
【００９３】
続いて、提供記事情報に含まれる広告毎に、広告印刷判断部２４０により予約テーブル２２２の利用者による広告受領許否情報と、記事ＤＢ２２１の広告主による広告掲載許否情報が参照され、広告部分の印刷を行うか否かが判断される（ステップＳ２３）。広告印刷判断部２４０による判断の結果、広告部分の印刷を行わない場合には（ステップＳ２３；ＮＯ）、記事ＤＢ２２１から該当する広告部分の広告領域情報が参照され、無地領域情報が生成される（ステップＳ２４）。
【００９４】
そして、提供記事情報及び無地領域情報を含む、受領希望記事の印刷及び製本を指示する発行命令業務情報が生成され（ステップＳ２５）、配信記事テーブル２２３へ格納される。
【００９５】
そして、料金計算部２５０により当該電子出版システム１による出版サービスの料金が計算される（ステップＳ２６）。利用者が広告の掲載を許諾する場合には、料金が割り引きされる。
以上により、発行命令業務情報生成処理が終了する。
【００９６】
（出版物印刷・製本処理）
図１３は、出版物印刷・製本処理を示すフローチャートである。
出版物印刷・製本処理は、画像形成装置３０が出版物を印刷・製本する際に実行される処理である。利用者の希望する受領予約日時までに出版物を提供することができるように、発行命令業務情報に基づいた印刷・製本処理が実行される。
【００９７】
予約テーブル２２２に記憶されている受領予約日時の所定時間前になると、管理装置２０により、配信記事テーブル２２３が参照され、発行命令業務情報及び電子キーが画像形成装置３０へ送信される（ステップＳ３１）。
【００９８】
ひとつの画像形成装置３０に複数の出版物の予約が入っている場合には、管理装置２０により、それぞれの利用者に対して発行命令業務情報に基づく印刷及び製本が受領予約日時に間に合うように、発行命令業務情報等が送信される。
【００９９】
そして、画像形成装置３０により、発行命令業務情報及び電子キーが受信される（ステップＳ３２）。この受信された発行命令業務情報に含まれる提供記事情報に、フルカラー写真データが含まれるか否かが判断され、その判断結果に基づいて、印刷方式が決定される。
【０１００】
次に、画像形成装置３０により、発行命令業務情報に含まれる提供記事情報及び無地領域情報に基づいて印刷及び製本が実行される。提供記事情報のうち、無地領域情報に含まれない領域の情報である場合は（ステップＳ３３；ＮＯ）、そのまま印刷され（ステップＳ３４）、無地領域情報に含まれる領域の情報である場合は（ステップＳ３３；ＹＥＳ）、そのスペースが空白とされ、無地印刷される（ステップＳ３５）。
【０１０１】
続いて、ステープル処理、トリマー処理、中折処理、冊子作成処理等の出版物製本処理が実行される（ステップＳ３６）。そして、製本された出版物は保管部３７０に保管される。
以上により、出版物印刷・製本処理が終了する。
【０１０２】
利用者が店舗に来店し、画像形成装置３０の操作部３２０に電子キーを入力すると、保管部３７０が開かれる。これにより、出版物の印刷及び製本を指示した利用者のみが出版物を受領することができるように配慮されている。
【０１０３】
電子出版システム１による出版サービスの費用処理は、クレジットカードで決済する、あるいは携帯電話機１０の電話会社４０経由にて情報量として決済する、あるいは受領時に店舗にて現金にて決済することとしてもよい。
【０１０４】
図１４に、広告主が広告の掲載を許諾し、かつ、利用者が広告の掲載を許諾する場合の印刷・製本事例を示す。図１４（ａ）は、雑誌発行時の記事の例、図１４（ｂ）は、本電子出版システム１を利用して印刷・製本された出版物の例である。図１４（ａ）に示すように、出版社Ａから発売された月刊「手料理：１１月号」に掲載されている記事「鍋メニュー特集」には、「土鍋は当店で：鍋屋商店」という広告が掲載されている。また、出版社Ｂから発売された週刊「Ｒの旅日記：１０／２０号」に掲載されている記事「アジアの料理」には、「アジアのフライトは＊＊＊＊航空」という広告が掲載されている。また、出版社Ｃから発売された月刊「ふるさとへの旅：１１月号」に掲載されている記事「おすすめの旅」には、「旅のプロが快適な空の旅へ」という広告が掲載されている。これらの広告は、図１４（ｂ）に示すように、電子出版システム１を利用して印刷・製本された出版物においても掲載される。
【０１０５】
図１５に、広告主が広告の掲載を許諾しない場合、あるいは、利用者が広告の掲載を許諾しない場合の印刷・製本事例を示す。図１５（ａ）は、雑誌発行時の記事の例、図１５（ｂ）は、本電子出版システム１を利用して印刷・製本された出版物の例である。図１５（ａ）、（ｂ）に示すように、電子出版システム１を利用して印刷・製本された出版物においては、雑誌発行時に掲載されていた広告の領域が無地印刷され、広告が掲載されない。
【０１０６】
以上説明したように、本実施の形態における電子出版システム１によれば、広告主や利用者の要望に応じて出版物に広告を掲載するか否かを決定することができる。広告部分の印刷を行わない場合には、広告部分の領域を無地印刷して、広告が掲載されていない出版物を提供することができる。
【０１０７】
また、利用者が広告の掲載を許諾する場合には、提供するサービスの料金を割り引きすることができる。したがって、より低価格で利用者に出版物を提供することができる。
【０１０８】
なお、本発明の適用は、上記実施の形態に限定されず、本発明の趣旨を逸脱しない範囲で適宜変更可能である。
【０１０９】
上記実施の形態においては、広告主による広告掲載許否情報が記事ＤＢ２２１に格納されていることとしたが、各出版社Ａ、Ｂ、Ｃから記事の電子情報を受け取る際に、広告主が電子出版システムにおいて広告の掲載を許諾しない広告については、既に広告部分が削除されていることとしてもよい。
【０１１０】
また、上記実施の形態においては、携帯情報端末装置として、ブラウザ機能を有する携帯電話機１０を用いたが、電子出版予約処理は、どのように行ってもよい。例えば、利用者は、パーソナルコンピュータ又は携帯情報端末から、管理装置２０が提供するＷｅｂサイトへアクセスし、登録用ページのフォーマットに所定事項を入力・送信することで、登録することができる。
【０１１１】
また、上記実施の形態においては、雑誌の掲載記事を対象としたが、広告部分が含まれるものであれば、小説等の出版物を対象としてもよい。
【０１１２】
さらに、発行命令業務情報に基づいて画像形成装置３０が画像を形成する際の印刷条件及び加工条件は、予め定められているものではなく、利用者により任意に設定されることとしてもよい。
【０１１３】
【発明の効果】
請求項１記載の発明によれば、広告主による広告掲載許否情報及び／又は利用者による広告受領許否情報に基づいて、広告部分の印刷を行うか否かを判断するので、広告主や利用者の要望に応じて出版物に広告を掲載するか否かを決定することが可能な電子出版システムを構築することができる。
【０１１４】
請求項２記載の発明によれば、広告部分の印刷を行わない場合には、広告部分の領域を無地印刷して、広告が掲載されていない出版物の提供が可能な電子出版システムを構築することができる。
【０１１５】
請求項３記載の発明によれば、利用者が広告の掲載を許諾する場合には、提供するサービスの料金の割り引きを可能とする電子出版システムを提供することができる。したがって、より低価格で利用者に出版物を提供することができる。
【図面の簡単な説明】
【図１】本発明の実施の形態における電子出版システム１のシステム体系を示す概略図である。
【図２】携帯電話機１０の機能構成を示すブロック図である。
【図３】管理装置２０の機能構成を示すブロック図である。
【図４】予約テーブル２２２のデータ構成の一例を示す図である。
【図５】受領希望記事情報のデータ構成の一例を示す図である。
【図６】配信記事テーブル２２３のデータ構成の一例を示す図である。
【図７】画像形成装置テーブル２２４のデータ構成の一例を示す図である。
【図８】画像形成装置３０の一例を示す外観図である。
【図９】画像形成装置３０の機能構成を示すブロック図である。
【図１０】本実施の形態における一連の処理の概要を示すフローチャートである。
【図１１】電子出版予約処理を示すフローチャートである。
【図１２】発行命令業務情報生成処理を示すフローチャートである。
【図１３】出版物印刷・製本処理を示すフローチャートである。
【図１４】広告主が広告の掲載を許諾し、かつ、利用者が広告の掲載を許諾する場合の印刷・製本事例を示す図である。
【図１５】広告主が広告の掲載を許諾しない場合、あるいは、利用者が広告の掲載を許諾しない場合の印刷・製本事例を示す図である。
【符号の説明】
１  電子出版システム
１０  携帯電話機
１１０  制御部
１２０  入力部
１３０  表示部
１４０  記憶部
１５０  通信部
２０  管理装置
２１０  制御部
２２０  記憶部
２２１  記事ＤＢ
２２２  予約テーブル
２２３  配信記事テーブル
２２４  画像形成装置テーブル
２２５  広告印刷判断プログラム
２２６  料金計算プログラム
２３０  通信部
２４０  広告印刷判断部
２５０  料金計算部
３０  画像形成装置
３１０  制御部
３１１  印刷制御部
３１２  プリンタコントローラ
３２０  操作部
３３０  表示部
３４０  画像読取部
３４１  スキャナカバー
３５１  インクジェット印刷部
３５２  電子写真印刷部
３５３  給紙トレイ
３６０  製本部
３７０  保管部
３８０  記憶部
３９０  通信部
４０  電話会社
４１  無線基地局
【図１】
2004272335.tif 000003
【図２】
2004272335.tif 000004
【図３】
2004272335.tif 000005
【図４】
2004272335.tif 000006
【図５】
2004272335.tif 000007
【図６】
2004272335.tif 000008
【図７】
2004272335.tif 000009
【図８】
2004272335.tif 000010
【図９】
2004272335.tif 000011
【図１０】
2004272335.tif 000012
【図１１】
2004272335.tif 000013
【図１２】
2004272335.tif 000014
【図１３】
2004272335.tif 000015
【図１４】
2004272335.tif 000016
【図１５】
2004272335.tif 000017